(57)【要約】      （修正有）【課題】従来にはない斬新な表現を可能にするセグメント表示方式ＬＥＤを用いた価格看板の表示方法を提供する。【解決手段】セグメント表示方式ＬＥＤを用いた価格看板の表示にあたり、表示すべき数字に対応するセグメントＳ１〜Ｓ７を点灯させるに際して、セグメントＳ１〜Ｓ７の相互間の点灯タイミングに数字の書き順に沿って時間差を設けて点灯させるようにしたので、数字の書き順をセグメント単位で再現することができ、より一層注意や興味、関心を惹き起こす効果を高めることができる。【選択図】図５
2017067991.tif 000002
【特許請求の範囲】
【請求項１】
セグメント表示方式ＬＥＤを用いた価格看板の表示方法であって、
表示すべき数字に対応するセグメントを点灯させるにあたり、セグメント相互間の点灯タイミングに数字の書き順に沿って時間差を設けて点灯させるようにしていることを特徴とする価格看板の表示方法。
【請求項２】
セグメントを点灯させる場合においても、当該セグメントのドットを構成するLED相互間の点灯タイミングにさらに数字の書き順に沿って時間差を設けて点灯させるようにしている請求項１に記載の価格看板の表示方法。
【請求項３】
セグメント表示方式ＬＥＤを用いた価格看板の表示方法であって、
表示すべき数字に対応するセグメントを点灯させるにあたり、セグメント相互間の点灯タイミングに所定の手順に沿って時間差を設けて点灯させるようにしていることを特徴とする価格看板の表示方法。
【請求項４】
セグメント表示方式ＬＥＤを用いた価格看板の表示方法であって、
表示すべき数字に対応するセグメントを点灯させるにあたり、各セグメントのドットを構成するLED相互間の点灯タイミングに所定の手順に沿って時間差を設けて点灯させるようにしていることを特徴とする価格看板の表示方法。
【請求項５】
セグメントのドットを構成するLEDチップを縦列接続し、さらにセグメントの端にあるＬＥＤチップ間を縦列接続することによって構成されるセグメント表示方式ＬＥＤアレーと、このセグメント表示方式ＬＥＤアレーにLEDチップの個数分の輝度データを供給する制御部とを備え、LEDチップ間は前段の輝度データの出力ポートと次段の輝度データの入力ポートが接続されてシリアルデータラインを形成し、制御部は、設定された数字をシリアルな輝度データに変換し、シリアルデータラインを通じて各LEDチップにそれぞれ輝度データを送り込んで点灯させる動作を繰り返すことを特徴とする価格看板。
【請求項６】
入力される数字に応じてセグメントの点灯順を指定する第１の点灯順指定手段と、表示態様に応じて各セグメント内におけるドットの点灯順を指定する第２の点灯順指定手段と、入力される数字と表示態様に応じ第１の点灯順指定手段および第２の点灯順指定手段の指定に基づいてシリアル輝度データを生成するシリアル輝度データ生成部とを備える請求項５に記載の価格看板。
【請求項７】
３桁の数字の表示が同時に同じタイミングで進行するように、ドット単位で点灯・消灯を同期制御している請求項５又は６に記載の価格看板。
【発明の詳細な説明】
【技術分野】
【０００１】
本発明は、セグメント表示方式ＬＥＤを用いた価格看板の表示方法および価格看板に関する。
【背景技術】
【０００２】
従来より、ガソリンスタンド等における価格看板は、７セグメント表示方式ＬＥＤを用いて構成されているのが一般的である（例えば特許文献１）。特に、青色ダイオードが開発されて以降、７セグメント表示方式ＬＥＤを用いた表示は多彩な色表現を行うことができるようになっている。
【先行技術文献】
【特許文献】
【０００３】
【特許文献１】特開平１０−１０９８６号公報
【発明の開示】
【発明が解決しようとする課題】
【０００４】
しかしながら、従来の７セグメント表示方式ＬＥＤは、セグメント単位でのＯＮ／ＯＦＦ表示を行い、数字全体を点滅やフェードイン、フェードアウトするといった視覚的効果を持たせているに過ぎない。
【０００５】
本発明は、このような実情に鑑み、従来にはない斬新な表現を可能にするセグメント表示方式ＬＥＤを用いた価格看板の表示方法及び価格看板を提供することを目的としている。
【課題を解決するための手段】
【０００６】
本発明は、かかる目的を達成するために、次のような手段を講じたものである。
【０００７】
すなわち、本発明に係る価格看板の表示方法は、セグメント表示方式ＬＥＤを用いた価格看板の表示方法であって、表示すべき数字に対応するセグメントを点灯させるにあたり、セグメント相互間の点灯タイミングに数字の書き順に沿って時間差を設けて点灯させるようにしていることを特徴とする。
【０００８】
このような方法によれば、数字の書き順をセグメント単位で再現することができる。
【０００９】
この場合、セグメントを点灯させる場合においても、当該セグメントのドットを構成するLED相互間の点灯タイミングにさらに数字の書き順に沿って時間差を設けて点灯させるようにすると、数字の書き順をセグメント単位だけでなく、更にドット単位で細かく再現することができる。
【００１０】
さらに、上記の方法を発展させると、次のような方法が有効となる。
【００１１】
先ず、本発明に係る価格看板の表示方法は、セグメント表示方式ＬＥＤを用いた価格看板の表示方法であって、表示すべき数字に対応するセグメントを点灯させるにあたり、セグメント相互間の点灯タイミングに所定の手順に沿って時間差を設けて点灯させるようにしていることを特徴とする。
【００１２】
このような方法によれば、セグメント単位で数字の書き順のほかリバースなどを表現することができる。
【００１３】
或いは、本発明に係る価格看板の表示方法は、セグメント表示方式ＬＥＤを用いた価格看板の表示方法であって、表示すべき数字に対応するセグメントを点灯させるにあたり、各セグメントのドットを構成するLED相互間の点灯タイミングに所定の手順に沿って時間差を設けて点灯させるようにしていることを特徴とする。
【００１４】
このような方法によれば、書き順以外にオープン、クローズ、クロスなどの表現を行うことができる。
【００１５】
一方、本発明の価格看板は、セグメントのドットを構成するLEDチップを縦列接続し、さらにセグメントの端にあるＬＥＤチップ間を縦列接続することによって構成されるセグメント表示方式ＬＥＤアレーと、このセグメント表示方式ＬＥＤアレーにLEDチップの個数分の輝度データを供給する制御部とを備え、LEDチップ間は前段の輝度データの出力ポートと次段の輝度データの入力ポートが接続されてシリアルデータラインを形成し、制御部は、設定された数字をシリアルな輝度データに変換し、シリアルデータラインを通じて各LEDチップにそれぞれ輝度データを送り込んで点灯させる動作を繰り返すことを特徴とする。
【００１６】
このようにすれば、簡単な構成により、セグメント単位、セグメントのドットを構成するLED単位の制御が実現可能となる。
【００１７】
この場合、入力される数字に応じてセグメントの点灯順を指定する第１の点灯順指定手段と、表示態様に応じて各セグメント内におけるドットの点灯順を指定する第２の点灯順指定手段と、入力される数字と表示態様に応じ第１の点灯順指定手段および第２の点灯順指定手段の指定に基づいてシリアル輝度データを生成するシリアル輝度データ生成部とを備えておくことが有効である。
【００１８】
これによれば、数字を構成するＬＥＤはセグメントに関係なく全てシリアルに接続されていても、第１、第２の点灯順指定手段を用いた内部の制御ロジックによって、あたかもセグメントで構成されているように処理することができ、また、シリアルに接続されるＬＥＤは接続順と書き順が入れ替わることがあるが、点灯順指定手段を用いた計算とロジックによって、正しい書き順として再現することができる。
【００１９】
これらの場合において、３桁の数字の表示が同時に同じタイミングで進行するように、ドット単位で点灯・消灯を同期制御すれば、価格看板に適した表示を実現することができる。
【発明の効果】
【００２０】
本発明は、以上説明した構成であるから、従来にはない斬新な表現を実現することを通じて、より一層注意や興味、関心を惹き起こす効果の高いセグメント表示方式ＬＥＤによる価格看板の表示方法及び価格看板を提供することができる。
【図面の簡単な説明】
【００２１】
【図１】本発明の一実施形態に係る価格看板を構成するＩＣ内蔵ＬＥＤチップの概略構成を示す図。
【図２】同ＩＣの内部構造を示す図。
【図３】同実施形態におけるシリアルデータ生成部内のバッファとＬＥＤの関係を示す図。
【図４】図１に示したＩＣ内蔵ＬＥＤチップＩＣ同士を縦続接続した構成を示す図。
【図５】同価格看板を構成するＬＥＤ表示器の７セグメント表示方式ＬＥＤアレーを示す図。
【図６】同実施形態を構成する制御部の機能ブロック図。
【図７】同実施形態を構成する点灯順指定手段たるテーブルの説明図。
【図８】「０」を表示する場合のセグメント点灯順を示す図。
【図９】同実施形態の価格看板を示す図。
【図１０】同実施形態のセグメントを構成するドット点灯順のバリエーションを示す図。
【発明を実施するための最良の形態】
【００２２】
以下、本発明の一実施形態を、図面を参照して説明する。
【００２３】
図１は、本実施形態の価格看板を構成するＩＣ内蔵ＬＥＤチップの概略構成を示す図であり、図２はＩＣ内部の構造を示している。ＩＣ内蔵ＬＥＤチップ１００は、１チップにＬＥＤ１（赤色ＬＥＤ１ｒ、緑色ＬＥＤ１ｇ、及び青色ＬＥＤ１ｂ）とＩＣ（ドライバ）２の双方を内蔵したものである。また、ＩＣ内蔵ＬＥＤチップ１００は、各基準電圧ＶＤＤ，ＧＮＤがそれぞれ供給される端子１０１、１０２を有するとともに、輝度データがシリアルに入力されるデータ入力ポートＤＩＮと、輝度データをシリアルに出力するデータ出力ポートＤＯと、各ＬＥＤ１ｒ、１ｇ、１ｂにそれぞれ駆動信号を出力するアウトプットポートＲＧＢと、基準電圧供給ポートＶＧとを有している。
【００２４】
ＩＣ（ＬＳＩ）２は、ここではＷＳ２８１１を使用している。勿論、他のＩＣを用いて構成しても構わない。このＩＣ２は、内部に３つのデータラッチｄ１、ｄ２、ｄ３のほか、図示しない信号修復増幅回路および発信器を有している。図１に示すデータ入力ポートＤＩＮにシリアルデータが入ると、最初の２４ビット分のデータを図２に示すラッチｄ１、ｄ２、ｄ３に保持する。他のデータは、内部の信号修復増幅回路によってリシェイプされた後、次のＩＣに向けて図１のデータ出力ポートＤＯから送り出される。このとき、最初の２４ビット分のデータは無くなり、シリアルデータは２４ビット減った状態となる。ＩＣ２では、３つのアウトプットポートＲ、Ｇ、Ｂのそれぞれに対して、異なるデューティー比の駆動信号を生成する。データラッチ後、ＤＩＮポートに表示信号としてリセット信号が入ると、ＩＣ２内では図２に示す各８ビットの輝度データに基づいて生成したＰＷＭ信号を赤色ＬＥＤ１ｒ、緑色ＬＥＤ１ｇ、及び青色ＬＥＤ１ｂに送り出す。そして、リセット動作の完了後、ＩＣは再び新しいデータを受け取れる状態になる。新しいデータを受け取るまでは、３つのアウトプットポートＲ、Ｇ、Ｂの出力信号は変わらない（つまり、同じ点灯状態を維持する）。
【００２５】
図４は、図１に示したＩＣ内蔵ＬＥＤチップ１００のＩＣ２、２同士を縦続接続した構成を示す図である。すなわち、上段のＩＣ内蔵ＬＥＤチップ１００を構成するＩＣ２のデータ出力ポートＤＯから出力された輝度データがその下段のＩＣ内蔵ＬＥＤチップ１００を構成するＩＣ２のデータ入力ポートＤＩＮに入力される構成を基本として、複数のＩＣ内蔵ＬＥＤチップ１００を構成するＩＣ２が数珠繋ぎに縦続接続する構成となっている。
【００２６】
具体的には、図５に示すように７セグメント表示方式ＬＥＤアレー１０Ａの各セグメントＳ１〜Ｓ７毎に、ドットを構成する位置に２６個のＩＣ内蔵ＬＥＤチップ１００、１００、…を配置し、これらのＩＣ内蔵ＬＥＤチップ１００、１００、…を配線Lによってシリアルに接続している。ここで、１セグメントを構成するＩＣ内蔵ＬＥＤチップ１００の個数は自由であるし、配線Ｌの接続順は図示例に限らない。図示例では、セグメント番号を付して示すように、Ｓ１→Ｓ２→Ｓ３→Ｓ４→Ｓ５→Ｓ６→Ｓ７と順次セグメント間も配線Ｌによって数珠繋ぎに縦列接続しており、計２６×７＝１８２個のＩＣ内蔵ＬＥＤチップ１００がシリアルに接続された状態としている。この総個数も１セグメントを構成するＩＣ内蔵ＬＥＤチップ１００の個数が変われば違った値になる。そして、図４に示すように、最上段には一般的なマイクロコンピュータによって構成される制御部３が位置し、図２に示す輝度データの生成、クロック単位での輝度データの出力、リセット信号の送出等を司っている。輝度データの数はＬＥＤの総個数に対応する。図５に示すＬＥＤ表示器２００を３桁分並べることで図９に示す価格看板を構成する。
【００２７】
図２及び図４に示したような構成により、ＩＣ２の機能によって、制御部３が１番目のＬＥＤ１から末端に位置する１８２番目のＬＥＤ１８２まで２４ビットの輝度データをクロック動作毎に転送する。前述したように、転送の度にシリアルデータは２４ビットずつ減る。送られた輝度データは各ＩＣ内蔵ＬＥＤチップ１００のラッチｄ１、ｄ２、ｄ３でラッチされた後、制御部３からのリセット信号により、各々のＩＣ内蔵ＬＥＤチップ１００のアウトプットポートＲＧＢから輝度データに応じたＲＧＢデューディー信号が出力され、ＬＥＤ１ｒ、１ｇ、１ｂが点灯する。
【００２８】
次に、制御部３における輝度データの生成機能について説明する。
【００２９】
図６は制御部３の機能ブロックを示している。例えば、LEDチップ１００を制御すべく、シリアルデータ生成部３１は、プログラムの一部としてColor(index,R,G,B)なるコマンドを与えられている。勿論、コマンドはこれに限らないが、ここでは本実施形態の説明に必要な最小限のコマンドを紹介している。IndexはLED番号で、この実施形態の場合、前述したように１セグメントは２６個のLEDチップ１００で構成され、これが７セグメント分あることから、２６×７＝１８２番までの番号を指定することができる。R,G,Bは２５６階調の輝度とする。例えば、Color(157,255,255,255)であれば、図５に示す１５７番目のLEDを白色最高階調で表示、Color(158,255,0,0) であれば、１５８番目のLEDを赤色最高階調で表示、Color(159,0,0,127) であれば、１５９目のLEDを青色中間階調で表示という具合である。
【００３０】
また、制御部３のシリアルデータ生成部３１には、入力値（数字：０〜９）と、表現態様となる設定値１、設定値２が入力されるようにしている。これによりシリアルデータ生成部３１は、セグメントの点灯順に関する第１の点灯順指定手段およびドットの点灯順に関する第２の点灯順指定手段として、図６に示す第１のテーブル３２と第２のテーブル３３を参照する。
【００３１】
第１のテーブル３２は図７に示す配列ptn［１０］［７］の宣言とともに、0から９までの１０個の数字に対してどのセグメント番号の順にＬＥＤ１を点灯させるかの書き順が指定されている。例えば、図５において「０」を表示する場合は、セグメント番号７→３→２→１→５→６の順で点灯させる必要があるため、第１のテーブルは図７に示すように{７、３、２、１、５、６、３}／０と記述される。最後の３はダミーである。また、このとき第２のテーブル３３の2つ目の配列pha［１０］［７］を参照する。この配列pha［１０］［７］は、0から９までの１０個の数字を表示するにあたり、シリアルに接続されるＬＥＤチップ１００は図５に示す物理的な接続順と書き順が入れ替わっている箇所があるため、各数字ごとに、各セグメントＳ１〜Ｓ７のドットを構成するＬＥＤの点灯順（降順か昇順か）が指定されている。「０」の表示の場合は、図８に示すような順序で点灯するが、これを図５に示すＬＥＤの物理的な接続方向との関係で見ると、７番目のセグメントＳ７は物理的な接続方向に対して順方向の書き順であるため「１」、３番目のセグメントＳ３は物理的な接続方向に対して逆方向の書き順となるため「−１」、２番目のセグメントＳ２も物理的な接続方向に対して逆方向の書き順となるため「−１」、１番目のセグメントＳ１も物理的な接続方向に対して逆方向の書き順となるため「−１」、５番目のセグメントＳ５は物理的な接続方向に対して順方向の書き順となるため「１」、６番目のセグメントＳ６も物理的な接続方向に対して順方向の書き順となるため「１」、３番目のセグメントは表示させないため「０」として、{１、−１、−１、−１、１、１、０}／０と記述される。
【００３２】
同様に、「１」を表示する場合は、第１のテーブルは、｛５、１、２、３、４、６、７｝／１、第２のテーブルは｛−１、１、０、０、０、０、０｝／１である。第１のテーブルのうち「２、３、４、６、７」はダミーであり、第２のテーブル「０、０、０、０、０」によって点灯されない。以下、２〜９の表示についても、このようなテーブル１と２の組み合わせによって点灯順が決定される。
【００３３】
シリアルデータ生成部３１は、図３のようにＬＥＤと同じ数のバッファを用意しており、コマンドColor(index,R,G,B)によって対応するバッファに２４ビットの輝度データを蓄積する。そして、バッファ送出コマンド「ｓｈｏｗ」によって、バッファ１、バッファ２、バッファ３…という具合に蓄積した輝度データを図６に示すデータ出力部３４からシリアルデータとして送出する。送出を終えると、最後にデータ出力部３４を通じてリセット信号が送出される。
【００３４】
最も単純な手法を例示すると、例えば最初の点灯が図５に示す１５７番目のＬＥＤであれば、最初に全LEDのＩＣにシリアルデータ（２４×１８２ビット分）が転送された際のシリアルデータ列のうち、１５７番目のＬＥＤに対応する２４ビットの輝度データのみが有効な輝度値を持ち、リセット信号によってラッチｄ１、ｄ２、ｄ３に保持された輝度データに基づきＬＥＤ１５７の赤色ＬＥＤ１ｒ、緑色ＬＥＤ１ｇ、及び青色ＬＥＤ１ｂが点灯する。次に生成されるシリアルデータは、１５７番目の輝度データに加えて、１５８番目の輝度データが有効な輝度値を持ち、リセット信号によってＬＥＤ１５７の赤色ＬＥＤ１ｒ、緑色ＬＥＤ１ｇ、及び青色ＬＥＤ１ｂが点灯する。このようにして、順次点灯させたいＬＥＤの輝度データをシリアルデータ生成部３１で造り出してゆき、図５に示す「０」を表示する場合は１５７番目のLEDからスタートして１５６番目のＬＥＤを点灯させた時点で表示を完了する。他の数字の表示もこれに準ずる。
【００３５】
このような手法で、例えば２４ビットを指定時間として５０μｓ毎に送り込むとすると、全てのＬＥＤ１に輝度データＤ１〜Ｄ１８２を送り込むまでに最低５０×１８２＝９．１ｍｓが必要となる。さらに、７セグメント全てを１ドットずつ点灯させていくとすると、更に９．１×１８２＝１．６５ｓの所要時間を要する。そこでシリアルデータ生成部３１は、転送時間を短縮するために、例えば、最初に（１５７番目、１５８番目、１５９番目）を点灯、次に（１６０番目、１６１番目、１６２）番目を点灯…という具合に、シリアルデータを生成する度に３ドット分（２４×３＝７２ビット分）ずつ点灯ドットを増やしていくようなシリアルデータを生成すべくプログラムされている。このことで、１．６５／３＝０．５５ｓまで表示に要する時間を短縮することができる。勿論、点灯するドットを増やすペースは、２ドットずつでも、４ドットずつ或いはそれ以上でも構わない。また、指定時間も５０μｓに限らない。
【００３６】
なお、ガソリンスタンドの価格はリッター価格であって図９に示すように３桁であるため、このような７セグメント表示器２００を３つ用意して価格看板を構成し、制御部３から並列に３本のシリアルデータラインを出してもよい。或いは、２つの７セグメント表示器については１本のシリアルラインで数珠繋ぎに接続することも考えられる。１本のシリアルラインで構成する場合、５０μｓ×１８２×２＝１８．２ｍｓ、１８．２ｍｓ×１８２×２＝６．６ｓ、３つずつ同時に点灯数を増やすことで６．６ｓ÷３＝２．２ｓにまで表示に要する時間を短縮することができる。この場合、３つ目の７セグメント表示器２００については制御部３が並列処理することとなる。何れにせよ、３桁の数字の表示が同時に同じタイミングで進行するように、ドット単位で点灯・消灯を同期制御している。換言すれば、３桁の表示が仮に同じ数字であれば常にＮ番目のドットが同期して点灯する制御を行うように構成される。
【００３７】
なお、この実施形態の装置は、描き順の他に、ｏｐｅｎ，ｃｌｏｓｅ，ｃｒｏｓｓ，ｒｅｖｅｒｓｅの設定が行えるようになっている。ｏｐｅｎとは、図１０（ａ）に示すように点灯すべきセグメント内のＬＥＤを一端から他端に向かって点灯させるのではなく、同図（ｂ）に示すように中央から両端に向かって広がるようにセグメント内のＬＥＤを点灯させる方法であり、ｃｌｏｓｅとは、逆に同図（ｃ）に示すようにセグメント内の両端から中央に向かって閉じるようにセグメント内のＬＥＤを点灯させる方法である。さらに、ｃｒｏｓｓは、ｃｌｏｓｅによって中央まで点灯した後、右端からスタートしたものは左端まで、左端からスタートしたものは右端までクロスして途中からｏｐｅｎのように点灯する方法である（この場合、右端からスタートする色と、左端からスタートする色を変えておくと、クロスした後に色が重なって変化する表現が可能となる）。さらにまた、ｒｅｖｅｒｓｅとは図９（ａ）に示す書き順とは逆方向にセグメント内のＬＥＤを点灯させる方法である。これらの表示態様は、テーブル２においてそれぞれ細分化された設定値で表現できるようにしておくと有効である。
【００３８】
また、各セグメントについて同時にｏｐｅｎ，ｃｌｏｓｅ，ｃｒｏｓｓ，ｒｅｖｅｒｓｅといった点灯を行う以外に、セグメントの点灯順は書き順に従って点灯させ、そのセグメント内におけるドットの点灯パターンがｏｐｅｎ，ｃｌｏｓｅ，ｒｅｖｅｒｓｅといった点灯の方法も適宜採用することができる。これらの場合にも、シリアルデータ生成部３１は与えられる数字と表示態様に従って適宜それらを組み合わせて先頭ＬＥＤを割り出してＬＥＤ１８２個分の輝度データが連なったシリアルデータを次々に生成して出力することができる。制御部３には輝度データについても設定３を通じて設定が可能とされており、色合いや明るさを適宜指定することができるようになっている。
【００３９】
以上のように、本発明に係る価格看板の表示方法は、セグメント表示方式ＬＥＤを用いた価格看板の表示にあたり、表示すべき数字に対応するセグメントＳ１〜Ｓ７を点灯させるに際して、セグメントＳ１〜Ｓ７の相互間の点灯タイミングに数字の書き順に沿って時間差を設けて点灯させるようにしたものである。この方法によれば、数字の書き順をセグメント単位で再現することができる。
【００４０】
特に、各セグメントＳ１〜Ｓ７を点灯させる場合においても、当該各セグメントＳ１〜Ｓ７のドットを構成するLED相互間の点灯タイミングにさらに数字の書き順に沿って時間差を設けて点灯させるようにしているので、数字の書き順をセグメント単位だけでなく、更にドット単位で細かく再現することができる。
【００４１】
さらに、このような方法を発展させ、セグメント表示方式ＬＥＤを用いた価格看板の表示にあたり、表示すべき数字に対応するセグメントＳ１〜Ｓ７を点灯させるに際して、セグメントＳ１〜Ｓ７の相互間の点灯タイミングに所定の手順に沿って時間差を設けて点灯させるようにすれば、セグメント単位で数字の書き順のほかリバースなどを表現することができる。
【００４２】
或いは、セグメント表示方式ＬＥＤを用いた価格看板の表示にあたり、表示すべき数字に対応するセグメントＳ１〜Ｓ７を点灯させるに際して、各セグメントＳ１〜Ｓ７のドットを構成するLED相互間の点灯タイミングに所定の手順に沿って時間差を設けて点灯させるようにすれば、書き順以外にオープン、クローズ、クロスなどの表現を行うことができる。
【００４３】
一方、価格看板としては、セグメントＳ１〜Ｓ７のドットを構成するLEDチップ１００を縦列接続し、さらにセグメントＳ１〜Ｓ７の端にあるＬＥＤチップ１００、１００間を縦列接続することによって構成されるセグメント表示方式ＬＥＤアレー１０Ａと、このセグメント表示方式ＬＥＤアレー１０ＡにLEDチップ１００の個数分の輝度データを供給する制御部３とを備え、LEDチップ１００、１００間は前段の輝度データの出力ポートＤＯと次段の輝度データの入力ポートＤＩＮが接続されてシリアルデータラインを形成し、制御部３は、設定された数字をシリアルな輝度データに変換し、シリアルデータラインを通じて各LEDチップ１００にそれぞれ輝度データを送り込んで点灯させる動作を繰り返すように構成しているため、セグメント単位、セグメントのドットを構成するLED単位の制御を簡単に実現することが可能となる。
【００４４】
特に、入力される数字に応じてセグメントＳ１〜Ｓ７の点灯順を指定する第１の点灯順指定手段たる第１のテーブル３２と、表示態様に応じて各セグメントＳ１〜Ｓ７内におけるドットの点灯順を指定する第２の点灯順指定手段たる第２のテーブル３３と、入力される数字と表示態様に応じ第１のテーブル３２および第２のテーブル３３の指定に基づいてシリアル輝度データを生成するシリアル輝度データ生成部３１とを備えているため、数字を構成するＬＥＤチップ１００がセグメントＳ１〜Ｓ７に関係なく全てシリアルに接続されていても、第１、第２のテーブル３２、３３を用いた内部の制御ロジックによって、あたかもセグメントＳ１〜Ｓ７で構成されているように処理することができ、また、シリアルに接続されるＬＥＤは接続順と書き順が入れ替わることがあるが、テーブル３２、３３を用いた計算とロジックによって、正しい書き順として再現することができる。
【００４５】
これらの場合、３桁の数字の表示が同時に同じタイミングで進行するように、ドット単位で点灯・消灯を同期制御しているので、価格看板に適した表示を実現することができる。）
【００４６】
なお、上記実施形態では、１セグメントを２６ドット、２６個のＬＥＤから構成したが、１セグメントを構成するドット、ＬＥＤの数は勿論、これに限定されるものではない。また、数字を表すセグメント数も「７」に限られない。さらに、第１、第２の点灯順指定手段はテーブル以外の技術的手段でも実現可能である。また、ＬＥＤはＩＣ（ＬＳＩ）内蔵でなくても、制御部であるマイコン側から同等の制御を行うことができる。さらにまた、本発明の価格看板はガソリンスタンド以外の用途にも適用可能である。
【００４７】
その他の構成も、本発明の趣旨を逸脱しない範囲で種々変形が可能である。
【符号の説明】
【００４８】
２…ＩＣ（ＬＳＩ）
３…制御部
１０Ａ…セグメント表示方式ＬＥＤアレー
３２…第１の点灯順指定手段（第１のテーブル）
３３…第２の点灯順指定手段（第２のテーブル）
１００…ＬＥＤチップ
ＤＯ…出力ポート
ＤＩＮ…入力ポート
Ｓ１〜Ｓ７…セグメント
【図１】
2017067991.tif 000003
【図２】
2017067991.tif 000004
【図３】
2017067991.tif 000005
【図４】
2017067991.tif 000006
【図５】
2017067991.tif 000007
【図６】
2017067991.tif 000008
【図７】
2017067991.tif 000009
【図８】
2017067991.tif 000010
【図９】
2017067991.tif 000011
【図１０】
2017067991.tif 000012